(57)【要約】【課題】各種パッドを装着可能であり、圧迫感の小さいブラジャーを提供する。【解決手段】ブラジャー１は、右前身頃１１と、左前身頃１２と、右肩ストラップ部１３と、左肩ストラップ部１４と、後身頃１５と、ベルト部１６を備える。右前身頃１１は、表地、芯地、裏地、袋布を順に重ねた構造を有している。表地、裏地は、伸縮性のある生地からなり、芯地は、吸湿吸汗性、伸縮性のある不織布からなる２枚の中芯と、その間に挟んだ、消臭加工が施された不織布からなる真芯から構成される。芯地は、表地、裏地と連動するように、表地、裏地に一部固定されている。袋布は、略楕円形の開口部１１５を有し、伸縮性のある生地から構成される。袋布を裏地に重ねて外周を縫合することにより、ポケットを形成する。【選択図】図５
0003171954.tif 000002
【実用新案登録請求の範囲】
【請求項１】
右乳房を覆う右前身頃と、左乳房を覆う左前身頃がそれぞれ、
伸縮性を有する表地と、
伸縮性を有する裏地と、
前記表地及び前記裏地の間に位置し、前記表地及び前記裏地と連動して伸縮する不織布からなる芯地と、
前記裏地の前記表地と逆側の面に重ねられ、開口部を有し、伸縮性を有する生地からなり、外周を前記裏地とともに縫合することによりポケットを形成する袋布と、
を有することを特徴とするブラジャー。
【請求項２】
前記右前身頃及び前記左前身頃の下方にギャザーを寄せることにより、前記右前身頃及び前記左前身頃が上方に向かって湾曲している、
ことを特徴とする請求項１に記載のブラジャー。
【請求項３】
前記芯地は、２枚の前記伸縮する不織布からなる中芯とその間に備えた消臭機能を有する不織布からなる真芯、を有する、
ことを特徴とする請求項１又は２に記載のブラジャー。
【請求項４】
前記袋布の開口部は、前記袋布の中央に位置し、略楕円形である、
ことを特徴とする請求項１乃至３のいずれかに記載のブラジャー。
【請求項５】
着用者の胴体に巻かれるベルト部と、後身頃と、２つの肩ストラップ部を更に有し、
前記右前身頃、前記後身頃、前記左前身頃の順にそれぞれの下部が前記ベルト部の上部に接続され、
前記後身頃と前記右前身頃、及び、前記後身頃と前記左前身頃が、それぞれ前記肩ストラップ部を介して接続している、
ことを特徴とする請求項１乃至４のいずれかに記載のブラジャー。
【請求項６】
前記ベルト部は、前記右前身頃及び左前身頃と接続されている位置の幅が、前記後身頃と接続されている位置の幅よりも狭い、
ことを特徴とする請求項５に記載のブラジャー。
【請求項７】
前記右前身頃と前記左前身頃と前記後身頃と前記肩ストラップ部の互いの接合部分は、縫いしろを有さず、縫合部分が略平坦となるように縫合されている、
ことを特徴とする請求項５又は６に記載のブラジャー。
【請求項８】
前記ベルト部と前記後身頃と前記肩ストラップ部とは、
伸縮性を有する表地と、
伸縮性を有する裏地と、
前記表地及び前記裏地の間に位置し、前記表地及び前記裏地と連動して伸縮する不織布からなる芯地と、
を有することを特徴とする請求項５乃至７のいずれかに記載のブラジャー。
【請求項９】
前記ベルト部は、
前記ベルト部の両端近傍に設けた２つの止定部と、
前記ベルト部の表面及び裏面に設けられ、前記右前身頃と前記左前身頃の一部が重なるように前記２つの止定部を止定する２つの被止定部と、を備える、
ことを特徴とする請求項５乃至８のいずれかに記載のブラジャー。
【請求項１０】
前記被止定部は、複数の止定位置を有しサイズ調整機能を有する、
ことを特徴とする請求項９に記載のブラジャー。
【考案の詳細な説明】
【技術分野】
【０００１】
本考案は、各種パッドを挿入可能なブラジャーに関する。
【背景技術】
【０００２】
授乳者や、乳ガンにより乳房を切除した乳ガン患者等が使用するブラジャーとして、前開きで乳房をスムーズに露出することができ、母乳パッドやシリコンパッドを装着可能な構造を有するブラジャーが提案されている（特許文献１、特許文献２）。
【０００３】
特許文献１に記載の授乳用ブラジャーは、着用者の胸囲部分に配置され乳房の下方部を支える身頃部と、身頃部に連結され、授乳時に開閉する左右のカップ部とを有している。そして、左右のカップ部の内側には、母乳吸収用パッドを保持する保持部が形成されており、保持部は、着用者の乳首部分が母乳吸収用パッドに接するように母乳吸収パッドを露出するための開口部を有している。
【０００４】
特許文献２に記載のブラジャーは、左右のカップ部と、これらカップ部に固定され、着用者の胸囲に巻かれる帯部を有している。帯部には着用者の右半身に対応する位置に右ホールと左半身に対応する位置に左ホールが設けられている。このため、例えば、右カップ下方からのびている帯部は左ホールを抜けて左カップ下方の帯部外側に設けられた止定部に固定され、左カップ下方からのびている帯部は右カップ下方の帯部外側の止定部に固定される。
【０００５】
特許文献２に記載のブラジャーは、カップ部にポケットを設けているため母乳パッドやシリコンパッドを装着することができる。
【先行技術文献】
【特許文献】
【０００６】
【特許文献１】特開２００９−６８１４１号公報
【特許文献２】特開２０１１−６８２５号公報
【考案の概要】
【考案が解決しようとする課題】
【０００７】
しかし、例えば、乳ガン等で乳房を切除した場合、左右で乳房の大きさが異なるため、装着するシリコンパッドの大きさが異なることがある。このため、特許文献１、２に開示されている保持部の構造では、固定しにくい場合があった。
【０００８】
また、授乳期間には乳房の大きさも変化するため、特許文献１、２のブラジャー等で採用されている固形カップでは、圧迫感を感じる場合もあった。
【０００９】
本考案は、上記実情に鑑みてなされたものであり、各種パッドを装着可能であり、圧迫感の小さいブラジャーを提供することを目的とする。
【課題を解決するための手段】
【００１０】
上記目的を達成するため、本考案に係るブラジャーは、
右乳房を覆う右前身頃と、左乳房を覆う左前身頃がそれぞれ、
伸縮性を有する表地と、
伸縮性を有する裏地と、
前記表地及び前記裏地の間に位置し、前記表地及び前記裏地と連動して伸縮する不織布からなる芯地と、
前記裏地の前記表地と逆側の面に重ねられ、開口部を有し、伸縮性を有する生地からなり、外周を前記裏地とともに縫合することによりポケットを形成する袋布と、
を有することを特徴とする。
【００１１】
前記右前身頃及び前記左前身頃の下方にギャザーを寄せることにより、前記右前身頃及び前記左前身頃が上方に向かって湾曲していてもよい。
【００１２】
前記芯地は、２枚の前記伸縮する不織布からなる中芯とその間に備えた消臭機能を有する不織布からなる真芯を有しても良い。
【００１３】
前記袋布の開口部は、前記袋布の中央に位置し、略楕円形であってもよい。
【００１４】
着用者の胴体に巻かれるベルト部と、後身頃と、２つの肩ストラップ部を更に有し、
前記右前身頃、前記後身頃、前記左前身頃の順にそれぞれの下部が前記ベルト部の上部に接続され、
前記後身頃と前記右前身頃、及び、前記後身頃と前記左前身頃が、それぞれ前記肩ストラップ部を介して接続してもよい。
【００１５】
この場合、前記ベルト部は、前記右前身頃及び左前身頃と接続されている位置の幅が、前記後身頃と接続されている位置の幅よりも狭くてもよい。
【００１６】
また、前記右前身頃と前記左前身頃と前記後身頃と前記肩ストラップ部の互いの接合部分は、縫いしろを有さず、縫合部分が略平坦となるように縫合されていてもよい。
【００１７】
また、前記ベルト部と前記後身頃と前記肩ストラップ部とは、伸縮性を有する表地と、伸縮性を有する裏地と、前記表地及び前記裏地の間に位置し、前記表地及び前記裏地と連動して伸縮する不織布からなる芯地を有してもよい。
【００１８】
また、前記ベルト部は、前記ベルト部の両端近傍に設けた２つの止定部と、前記ベルト部の表面及び裏面に設けられ、前記右前身頃と前記左前身頃の一部が重なるように前記２つの止定部を止定する２つの被止定部と、を備えてもよい。
【００１９】
前記被止定部は、複数の止定位置を有しサイズ調整機能を有してもよい。
【考案の効果】
【００２０】
本考案によれば、ブラジャーに各種パッドを装着可能であり、着用者に圧迫感を与えにくくなる。
【図面の簡単な説明】
【００２１】
【図１】実施形態に係るブラジャーの正面図である。
【図２】実施形態に係るブラジャーの背面図である。
【図３】実施形態に係るブラジャーの立体図である。
【図４】実施形態に係るブラジャーを開いた状態を表地側から見た図である。
【図５】実施形態に係るブラジャーを開いた状態を裏地側から見た図である。
【図６】ブラジャーの右前身頃を裏面から見た図である。
【図７】ポケットにパッドを挿入する様子を説明する図である。
【図８】右前身頃の構造を説明する図である。
【図９】ブラジャーを着用する様子を説明する図である。
【考案を実施するための形態】
【００２２】
以下、本考案の実施形態について図面を参照して詳細に説明する。
【００２３】
図１は、本実施形態に係るブラジャー１を正面から見た図であり、図２はブラジャー１を背面から見た図であり、図３はブラジャー１を左前方から見た立体図である。図４、５は、ブラジャー１を展開した状態を示した図であり、図４が表地（着用者の肌に触れない面）側からみた図であり、図５が裏地（着用者の肌に触れる面）側からみた図である。
【００２４】
図１乃至５に示すように、ブラジャー１は、右前身頃１１と、左前身頃１２と、右肩ストラップ部１３と、左肩ストラップ部１４と、後身頃１５と、ベルト部１６を備える。
【００２５】
右前身頃１１と左前身頃１２は、下部にギャザーを形成することにより湾曲しており、それぞれ着用者の右乳房、左乳房を覆う形状に形成されている。右前身頃１１と左前身頃１２は、略同一の構造であり、互いに左右対称の形状を有している。
【００２６】
以下、右前身頃１１の構造について、詳細に説明する。
【００２７】
右前身頃１１を裏地側から見た図を図６に示す。図６に示すように、右前身頃の裏側には、略楕円形の開口部１１５を有するポケットが形成されている。このポケットには、母乳パッドや胸形成用のシリコンパッド等任意のパッド１１６を収納できる。パッド１１６は、図７に示すように、略楕円形の開口部１１５を介して出し入れする。
【００２８】
右前身頃１１は、図８に示すように、表地１１１、芯地１１２、裏地１１３、袋布１１４を順に重ねた構造を有している。
【００２９】
表地１１１、裏地１１３は、伸縮性のある生地からなり、互いに略同形状を有している。表地１１１と裏地１１３は同種の生地でもよいが、少なくとも裏地１１３は直接肌に触れることもあるため、消臭加工が施された生地が望ましい。
【００３０】
芯地１１２は、表地１１１と裏地１１３の間に挿入され、右前身頃１１の形状を安定させるためのものである。芯地１１２は、吸湿吸汗性、伸縮性のある不織布からなる２枚の中芯１１２１と、その間に挟んだ、消臭加工が施された不織布からなる真芯１１２２から構成される。
【００３１】
芯地１１２は、表地１１１、裏地１１３と連動するように、表地１１１、裏地１１３に一部固定されている。例えば、図８に示すように、腕を通すアームホール近くの固定位置１１７や、胸部中央で右前身頃と左前身頃がクロスする箇所近くの固定位置１１８で固定される。
【００３２】
袋布１１４は、略楕円形の開口部を有しており、伸縮性のある生地から構成される。袋布１１４を裏地１１３に重ねて外周を縫合することにより、略楕円形の開口部１１５を有するポケットを形成する。このポケットには、母乳パッドや胸形成用のシリコンパッドを収納できる。各種パッドは、略楕円形の開口部１１５を使って出し入れする。袋布１１４は、直接肌に触れることもあるため、消臭加工が施された生地が望ましい。
【００３３】
左前身頃１２も右前身頃１１と同様に表地、芯地、裏地、袋布から構成され、各構成要素は、右前身頃１１に対して左右反転した形状を有する。
【００３４】
右肩ストラップ部１３、左肩ストラップ部１４は、表地、芯地、裏地から構成される。表地、裏地には伸縮性のある生地を用いる。表地と裏地は同種の生地でもよいが、少なくとも裏地は直接肌に触れることもあるため、消臭加工が施された生地が望ましい。
【００３５】
右肩ストラップ部１３、左肩ストラップ部１４の芯地は、伸縮性のある不織布からなり、表地と裏地の間に挿入され、表地と裏地と連動するように、表地と裏地に固定されている。
【００３６】
右肩ストラップ部１３、左肩ストラップ部１４に芯地を挿入することにより、形状が安定し、肩にかかる重さを軽減させることができる。
【００３７】
後身頃１５は、表地、芯地、裏地から構成される。表地、裏地には伸縮性のある生地を用いる。表地と裏地は同種の生地でもよいが、少なくとも裏地は直接肌に触れることもあるため、消臭加工が施された生地が望ましい。
【００３８】
後身頃１５の芯地は、伸縮性のある不織布からなり、表地と裏地の間に挿入され、表地と裏地と連動するように、表地と裏地に固定されている。
【００３９】
後身頃１５の形状は、上端のラインが、左右の肩ストラップ部から連続的にカーブしたＵ字ラインを形成しており、着用者の背中を優しく保持することができる。
【００４０】
ベルト部１６は、着用時にアンダーバスト部に巻かれる帯形状を有しており、表地、芯地、裏地から構成される。表地、裏地には伸縮性の高い生地を用いる。芯地は、伸縮性のある不織布からなり、表地と裏地の間に挿入され、表地と裏地と連動するように、表地と裏地に固定されている。
【００４１】
ベルト部１６の幅は、前身頃から後身頃に向かって連続的に幅が広くなっている。ベルト部１６のうち、前身頃の下方部分の幅を狭くすることにより、ベルト部１６がめくれあがったり、身体に食い込むのを防ぐことができる。また、ベルト部１６のうち、後身頃の下方部分の幅を広くすることにより、着用時の安定感が増し、体への負担を軽減することができる。ベルト部１６の幅は、例えば、前身頃の下方においては約２ｃｍであり、後身頃中央の下方においては約６ｃｍである。
【００４２】
図５に示すように、右前身頃１１の下方のベルト部端部には右止定部１６１が設けられ、ベルト部端部から一定の長さ離れた箇所の裏地側に、右被止定部１６２が設けられている。また、図４に示すように、左前身頃１２の下方のベルト部端部周辺の表地側に左止定部１６３が設けられ、ベルト部端部から一定の長さ離れた箇所の表地側に、左被止定部１６４が設けられている。
【００４３】
ブラジャー１の着用時には、図９（ａ）に示すように、まず、左止定部１６３を右被止定部１６２に止定させることにより、左の乳房が左前身頃１２に覆われて保持される。次に、図９（ｂ）に示すように、右止定部１６１を左被止定部１６４に止定させることにより、右の乳房が右前身頃１１に覆われて保持される。止定部は例えば、簡易的なホックからなり、片手で止め外しが可能である。
【００４４】
次に、本実施形態に係るブラジャー１の製造方法の一例について説明する。
【００４５】
まず、伸縮性のあるニット生地を裁断し、左右の前身頃、後身頃、左右の肩ストラップ部、ベルト部のそれぞれ表地、裏地と、袋布と、各構成部の端部を縫い合わせるためのバインダーを用意する。また、吸湿吸汗性を有する不織布を前身頃より少し小さい形状に裁断して内芯とし、消臭加工を施した不織布を略楕円形に裁断して真芯とする。
【００４６】
２枚の内芯１１２１の間に真芯１１２２挟み込んだものに対して、図８に示すように中央にダーツ１１２３を入れてカップ状の芯地１１２を形成する。
【００４７】
右前身頃１１の表地１１１と裏地１１３の間に芯地１１２を挟み、端部の一部を固定する。本例においては、図８に示すように、腕を通すアームホール近くの固定位置１１７や、胸部中央で右前身頃と左前身頃がクロスする箇所近くの固定位置１１８で固定する。
【００４８】
表地１１１、芯地１１２、裏地１１３を重ねたものに対し、袋布１１４をあてて外周を縫合する。
【００４９】
左前身頃１２も右前身頃１１と同様に作成する。
【００５０】
左右の肩ストラップ部は、表地と芯地と裏地を重ねて端部を縫合する。後身頃も、表地と芯地と裏地を重ねて端部を縫合する。
【００５１】
このようにして得られた右前身頃１１と右肩ストラップ部１３、左前身頃１２と左肩ストラップ部１４、右肩ストラップ部１３と後身頃１５、左肩ストラップ部１４と後身頃１５、右前身頃１１と後身頃１５、左前身頃１２と後身頃１５をそれぞれ縫合する。ここでの縫合は、凹凸が生じないように互いの生地をつきあわせて縫合する手法を採用し、縫合部分がフラットとなるようにする。この縫合により、縫合部分が肌に擦れることによる肌ストレスを軽減させることができる。
【００５２】
ベルト部１６は表地、芯地、裏地を重ねて作成するが、布端を芯地側に折り返した状態の表地と裏地の間に左右の前身頃と後身頃を挟み込んで縫合する。
【００５３】
左右の前身頃、後身頃、左右の肩ストラップ部の端部は、バインダーで包み縫合する。
【００５４】
最後に、ベルト部の適切な位置に止定部、被止定部を取り付ける。
【００５５】
以上説明したように、本実施形態に係るブラジャーは、前身頃の構造を、伸縮性を有する生地とそれに連動する伸縮性不織布からなる芯地を重ね合わせた構造としたため、乳房を優しく保持することが可能であり、乳房の変形や身体に圧迫感を与えることを防ぐことができる。また、母乳パッド、胸形成パッドなど任意のパッドを装着することができるため、様々な状態の着用者が着用することができるユニバーサルな仕様のブラジャーとして機能する。
【００５６】
また、伸縮性を有するベルト部に簡易な止定部、被止定部を設けているため、授乳ユーザの授乳時や、乳ガンユーザの診察時に、ブラジャーの着脱が容易であり、着脱の際に圧迫感を感じることもない。着脱が容易であるため、上衣を着用中であっても、衿部分、半袖口、授乳服の開口部から手を差し入れての開閉が可能である。また、乳ガン患者が浮腫等により運動機能が低下している場合であっても、腕上げも必要なく、片手での着脱も可能である。
【００５７】
以上説明したように、本考案のブラジャーによれば、各種パッドを前身頃の裏地側に設けたポケットに装着可能であり、着用者に与える圧迫感が小さくなる。
【００５８】
なお、本考案は、上記実施形態に限定されず、本考案の要旨を逸脱しない範囲での種々の変更は勿論可能である。
【００５９】
例えば、上記実施形態においては、前身頃の裏地側に設けたポケットの開口部１１５は略楕円形としたが、ポケット形状は円形、猫目形、Ｕ字形など、任意の形状でよい。
【００６０】
また、前身頃の表地、裏地、芯地、袋布の他に新たな芯地や生地を重ねても良い。これにより厚みをまして形状の安定性を高めることができる。
【００６１】
また、後身頃や肩ストラップ部は芯地を挿入しない構成としてもよい。構成を簡略化することができる。
【００６２】
また、図４、５に示すように、右止定部１６１を右前身頃１１の下方のベルト部端部に設け、右被止定部１６２をベルト部端部から一定の長さ離れた箇所の裏地側に設け、左止定部１６３を左前身頃１１の下方のベルト部端部周辺の表地側に設け、左被止定部１６４を、ベルト部端部から一定の長さ離れた箇所の表地側に設けるとしたが、左右逆の構成としても良い。すなわち、左止定部を左前身頃の下方のベルト部端部に設け、左被止定部をベルト部端部から一定の長さ離れた箇所の裏地側に設け、右止定部を右前身頃の下方のベルト部端部周辺の表地側に設け、右被止定部を、ベルト部端部から一定の長さ離れた箇所の表地側に設けてもよい。その場合は、先に右止定部を左被止定部に止定した後に、左止定部を右被止定部に止定する。
【００６３】
また、右被止定部、左被止定部は複数の止定位置を有するものであっても良い。複数の止定位置を設けることにより、サイズ調整が可能となる。
【符号の説明】
【００６４】
１  ブラジャー
１１  右前身頃
１１１  表地
１１２  芯地
１１２１  中芯
１１２２  真芯
１１２３  ダーツ
１１３  裏地
１１４  袋布
１１５  ポケットの開口部
１１６  パッド
１１７、１１８  固定位置
１２  左前身頃
１３  右肩ストラップ部
１４  左肩ストラップ部
１５  後身頃
１６  ベルト部
１６１  右止定部
１６２  右被止定部
１６３  左止定部
１６４  左被止定部
【図１】
0003171954.tif 000003
【図２】
0003171954.tif 000004
【図３】
0003171954.tif 000005
【図４】
0003171954.tif 000006
【図５】
0003171954.tif 000007
【図６】
0003171954.tif 000008
【図７】
0003171954.tif 000009
【図８】
0003171954.tif 000010
【図９】
0003171954.tif 000011